(57)【要約】【課題】着火装置の動作阻止／阻止解除を行うストッパー部材を、使用者による着火操作後に着火装置の動作阻止位置へ、簡単な構造で確実かつ容易に自動復帰することができるようにしたライターの安全装置を提供する。【解決手段】着火動作が終了し、使用者が操作片８の押し下げを止めると、圧電素子スパーカー４が戻しスプリングの作用により上昇復帰し、さらにストッパー部材９がコイルスプリング１２の付勢力を受けて上昇復帰する。このとき、ストッパー部材９の操作突起１０は、水平孔部１３の傾斜案内側部１３ａに当接して、この傾斜案内側部１３ａで傾斜の分力作用を受けて、水平孔部１３の阻止位置に自動復帰する。【選択図】図１
2012037214.tif 000002
【特許請求の範囲】
【請求項１】
燃料タンクと、燃料タンクのノズルから放出される燃料ガスに着火する着火装置と、この着火装置を操作する操作片とを備えたライターにおいて、
ライターの外装ケースの側部に、水平孔部と垂直孔部とを連通してなる鉤状案内部を設け、この鉤状案内部に外部から前記水平孔部と前記垂直孔部間を移動する操作突起を配し、この操作突起を前記外装ケース内部に配されたストッパー部材に一体に設け、かつ前記外装ケース内部に前記ストッパー部材を上方に付勢するスプリングを配し、
前記操作突起が前記鉤状案内部の水平孔部の阻止位置にあるときに、前記ストッパー部材が待機位置にある前記着火装置あるいは前記操作片の一部と当接して前記着火装置の着火動作を阻止し、前記操作突起が前記鉤状案内部の垂直孔部にあるとき、前記操作突起が下降可能となり、かつ前記ストッパー部材と前記着火装置との当接が解除されて、前記操作片による前記着火装置の着火動作を可能にし、
前記着火装置が着火動作を終了して前記待機位置に復帰する際、前記ストッパー部材が前記スプリングの付勢力を受けて前記垂直孔部を上方復帰するときに、前記ストッパー部材の前記操作突起と当接して該操作突起を前記水平孔部の前記阻止位置に移動させる傾斜案内側部を、前記鉤状案内部の前記水平孔部の上辺部に形成したことを特徴とするライターの安全装置。
【請求項２】
前記鉤状案内部の前記水平孔部の前記傾斜案内側部が直線状をなすことを特徴とする請求項１記載のライターの安全装置。
【請求項３】
前記鉤状案内部の前記水平孔部の前記傾斜案内側部が円弧状をなすことを特徴とする請求項１記載のライターの安全装置。
【請求項４】
前記鉤状案内部における前記垂直孔部上方の前記水平孔部の隅部に、前記操作突起と一時的に係合する係止部を設けたことを特徴とする請求項１〜３いずれか１項記載のライターの安全装置。
【請求項５】
前記鉤状案内部における前記水平孔部の前記係止部と対向する部位の前記垂直孔部に、傾斜案内突起部を設けたことを特徴とする請求項４記載のライターの安全装置。
【発明の詳細な説明】
【技術分野】
【０００１】  本発明は、燃料タンクと、燃料タンクのノズルから放出される燃料ガスに着火する着火装置と、この着火装置を操作する操作片とを備え、さらに不用意に着火装置が作動しないようにする安全装置を備えたライターに関するものである。
【背景技術】
【０００２】  従来、ライターにおいて、低価格ライター以外のものでは、不用意に着火装置が作動して着火しないようにするための安全装置を具備した構成のものが提供されている。【０００３】  近年、低年齢の子供によるライターを操作して各種の事故を発生させる事例が多く報道されてきており、ライター全般に子供が操作し難い構造にすることが要求されてきている。【０００４】  例えば、操作力を重くして子供の力では容易に操作することができないようにすること、安全ストッパーを設けることなど多くの提案がなされている。【０００５】  前記のようなライターの安全装置の発明，考案は従来古くから実施され、種々の構成の出願がなされている。その中で、ライターの外部あるいは内部に、着火装置の動作を不使用時には阻止するストッパー機構やロック機構を設けたものがある。【０００６】  また、使用者が、作動阻止位置にあるストッパー機構やロック機構を操作して、着火装置の操作片を操作することで着火動作を行った後には、ストッパー機構やロック機構が再び自動的に作動阻止位置に復帰するようにした構成のものも提案されている（例えば、特許文献１，２参照）。
【先行技術文献】
【特許文献】
【０００７】
【特許文献１】特開平５−２５６４４８号公報
【特許文献２】特表２００３−５２１６６０号公報
【発明の概要】
【発明が解決しようとする課題】
【０００８】  従来の特許文献１，２に記載されたライターでは、使用者によるストッパー機構やロック機構を作動阻止位置に戻すことを忘れるという危険を防ぐことができ、安全性を向上させることができ、ライターの安全装置として有効である。【０００９】  しかしながら、特許文献１，２に記載されたライターにおけるストッパー機構やロック機構の復帰構造を含む安全装置全体において、その構造が複雑であり、また各部における操作性において確実性や安定性に課題がある。【００１０】  本発明の目的は、前記従来の技術の課題を解決し、着火装置の動作阻止／阻止解除を行うストッパー部材を、使用者による着火操作後に着火装置の動作阻止位置へ、簡単な構造で確実かつ容易に自動復帰することができるようにしたライターの安全装置を提供することを目的とする。
【課題を解決するための手段】
【００１１】  本発明のライターの安全装置は、料タンクと、燃料タンクのノズルから放出される燃料ガスに着火する着火装置と、この着火装置を操作する操作片とを備えたライターにおいて、ライターの外装ケースの側部に、水平孔部と垂直孔部とを連通してなる鉤状案内部を設け、この鉤状案内部に外部から前記水平孔部と前記垂直孔部間を移動する操作突起を配し、この操作突起を前記外装ケース内部に配されたストッパー部材に一体に設け、かつ前記外装ケース内部に前記ストッパー部材を上方に付勢するスプリングを配し、前記操作突起が前記鉤状案内部の水平孔部の阻止位置にあるときに、前記ストッパー部材が待機位置にある前記着火装置あるいは前記操作片の一部と当接して前記着火装置の着火動作を阻止し、前記操作突起が前記鉤状案内部の垂直孔部にあるとき、前記操作突起が下降可能となり、かつ前記ストッパー部材と前記着火装置との当接が解除されて、前記操作片による前記着火装置の着火動作を可能にし、前記着火装置が着火動作を終了して前記待機位置に復帰する際、前記ストッパー部材が前記スプリングの付勢力を受けて前記垂直孔部を上方復帰するときに、前記ストッパー部材の前記操作突起と当接して該操作突起を前記水平孔部の前記阻止位置に移動させる傾斜案内側部を、前記鉤状案内部の前記水平孔部の上辺部に形成したことを特徴とする。【００１２】  また、本発明は、前記鉤状案内部の前記水平孔部の前記傾斜案内側部が直線状をなすことを特徴とする。【００１３】  また、本発明は、前記鉤状案内部の前記水平孔部の前記傾斜案内側部が円弧状をなすことを特徴とする。【００１４】  また、本発明は、前記鉤状案内部における前記垂直孔部上方の前記水平孔部の隅部に、前記操作突起と一時的に係合する係止部を設けたことを特徴とする。【００１５】  また、本発明は、前記鉤状案内部における前記水平孔部の前記係止部と対向する部位の前記垂直孔部に、傾斜案内突起部を設けたことを特徴とする。
【発明の効果】
【００１６】  本発明のライターの安全装置によれば、ストッパー部材の操作突起が鉤状案内部の水平孔部の阻止位置にあるときには着火装置の動作を阻止し、使用者が操作突起を鉤状案内部の垂直孔部に移動させ、この状態で使用者が操作片によって着火装置を動作させることにより着火動作が行われる。【００１７】また、着火装置が着火動作を終了して上方復帰する際に、ストッパー部材の操作突起が鉤状案内部の傾斜案内側部により水平孔部の阻止位置に自動復帰するため、使用者がストッパー部材を阻止位置へ戻し忘れてしまうことによる危険性がなくなる。【００１８】  このように、本発明のライターの安全装置は、簡単な構造で２アクションによる安全機能とストッパー部材の自動復帰機能とを具備し、操作性も優れた構成であるため、実用性に優れたライター用の安全装置として有効である。
【図面の簡単な説明】
【００１９】
【図１】本発明の実施形態であるガスライターの内部機構を示す断面図である。
【図２】本実施形態の鉤状案内部と操作突起を示す拡大図である。
【図３】本実施形態における操作突起が阻止位置にあるときの側面図である。
【図４】本実施形態における操作突起が着火操作可能な位置にあるときの側面図である。
【図５】本実施形態における着火操作時の操作突起を示す側面図である。
【図６】本実施形態における着火状態を示す正面図である。
【発明を実施するための形態】
【００２０】  以下に本発明の好適な実施形態を図面にて説明する。
【００２１】  図１において、１は液化ガス燃料が収納されている燃料タンク、２は本例では燃料タンク１と一体に形成されている外装ケース、３は燃料タンク１に設けられた公知のガス噴出ノズル、４は外装ケース２内部に設けられた着火装置としての圧電素子スパーカー、５は、圧電素子スパーカー４の上部に摺動可能に設けられて、加圧されて圧電素子スパーカー４内部の圧電素子（図示せず）に高電圧を発生させるための作動部、６は、圧電素子スパーカー４内部の圧電素子に発生した高電圧により、ガス噴出ノズル３の先端部分との間で着火放電を生成する放電電極である。
【００２２】  ７は、ガス噴出ノズル３に一端部と係合し、ガス噴出ノズル３を上昇させることにより開弁させ、燃料タンク１から気化ガスを噴出させるガス開閉板、８は、圧電素子スパーカー４の作動部５上部に固定され、ガス開閉板７の他端部を下降させてガス噴出ノズル３を上昇させることにより開弁させる操作片である。
【００２３】  ９は外装ケース２内部と圧電素子スパーカー４の側壁との空間部に設けられた棒状体のストッパー部材、１０はストッパー部材９に一体に突設された操作突起、１１は操作突起１０が摺動する後述する鉤状案内部、１２はストッパー部材９を上方に付勢するでコイルスプリングである。
【００２４】  図２に示すように、前記鉤状案内部１１は、ストッパー部材９の操作突起１０が摺動可能な水平孔部１３と垂直孔部１４が連通されてなる略『状をなしており、水平孔部１３の上辺部に直線状の傾斜案内側部１３ａが直線状に形成されている。また垂直孔部１４上方の水平孔部１３の隅部に、平坦状（凹状でもよい）の係止部１３ｂが形成されている。
【００２５】  鉤状案内部１１の垂直孔部１４は、操作突起１０の下方への移動を可能に案内するものであり、また、水平孔部１３の係止部１３ｂと対向する垂直孔部１４側部には傾斜案内突起部１４ａが形成されている。
【００２６】  次に、本実施形態のガスライターの動作について、図３から図６を参照して説明する。
【００２７】  鉤状案内部１１において、操作突起１０が、水平孔部１３の阻止位置にあるときに、ストッパー部材９は不動であって、待機位置にある圧電素子スパーカー４あるいは操作片８の一部と当接して圧電素子スパーカー４の着火動作を阻止する。本例ではストッパー部材９の上端部が操作片８の下部に当接して、圧電素子スパーカー４の下降を阻止し着火動作ができない（図３参照）。
【００２８】  そして、使用者の操作により、操作突起１０を水平孔部１３の阻止位置から垂直孔部１４に移動させると、操作突起１０が垂直孔部１４を下降可能となる。このとき使用者が、操作突起１０を、コイルスプリング１２の付勢力に抗して、傾斜案内側部１３ａに沿って垂直孔部１４方向に移動させると操作突起１０は、水平孔部１３の隅部で係止部１３ｂに一時的に係止される（図４参照）。
【００２９】  この係止状態において、使用者は、ストッパー部材９による移動阻止が解除されている操作片８を押し下げることにより、圧電素子スパーカー４の作動部５が下降して着火動作が行われる（図５参照）。
【００３０】  前記操作片８の押し下げにより、ガス開閉板７の他端部を下降させてガス噴出ノズル３を開弁する。そしてガス噴出ノズル３での気化ガスの放出にタイミングを合わせて、圧電素子スパーカー４内部の圧電素子に発生する高電圧により、ガス噴出ノズル３の先端部分と放電電極６との間で着火放電を生成され、気化ガスに着火する（図６参照）。
【００３１】  前記着火動作が終了し、使用者が操作片８の押し下げを止めると、ガス開閉板７が上昇して閉弁し、圧電素子スパーカー４内部の図示しない戻しスプリングの作用により作動部５が上昇復帰し、さらにストッパー部材９がコイルスプリング１２の付勢力を受けて上昇復帰する。
【００３２】  このとき、ストッパー部材９の操作突起１０は、垂直孔部１４側部の傾斜案内突起部１４ａにより、水平孔部１３の係止部１３ｂ部分を避けて傾斜案内側部１３ａに当接するようになっており、傾斜案内側部１３ａで傾斜の分力作用を受けて、水平孔部１３の図２，図３に示す阻止位置に自動復帰することになる。
【００３３】  なお、前記実施形態の各構成部材の形状，材質などは特に限定されず、デザイン・仕様などにより適宜変更して実施する。
【００３４】  例えば、本実施形態の水平孔部１３の傾斜案内側部１３ａは円弧状をなすものにしてもよい。
【産業上の利用可能性】
【００３５】  本発明は、ガスライターあるいはオイルライター、さらに着火装置が圧電式のものに限らず、ヤスリ着火式や電気回路を具備したものにも適用される。
【符号の説明】
【００３６】２  外装ケース
４  圧電素子スパーカー
５  作動部
８  操作片
９  ストッパー部材
１０  操作突起
１１  鉤状案内部
１２  コイルスプリング
１３  水平孔部
１３ａ  傾斜案内側部
１３ｂ  係止部
１４  垂直孔部
１４ａ  傾斜案内突起部
【図１】
2012037214.tif 000003
【図２】
2012037214.tif 000004
【図３】
2012037214.tif 000005
【図４】
2012037214.tif 000006
【図５】
2012037214.tif 000007
【図６】
2012037214.tif 000008